(57)【要約】【課題】  大径、短胴長の円筒形貯水槽内部の水を、できるだけ少ない給水量で入れ換える事ができる構造についての発明である。【解決手段】  給水出入口管を２重管として集中させて給水入口管を給水出口管の外部から外管を貫通させて給水入口内管に接続し、一方の鏡板から他方の鏡板の方向に向けて導入し、その先端を略球形とし、その表面に多数の穴を開けて、そこから全方向に噴射させてタンクに流入させる。給水出口管は噴射球とは逆方向の一方の鏡板の方向に向けたラッパ状の板の内部に接続し、ラッパの内部より流出させる事を特徴とする貯水槽。【選択図】図１
2016223275.tif 000002
【特許請求の範囲】
【請求項１】
両端を鏡板で開止した円筒型の貯水タンクにおいて、一方の鏡板（１３）の中心の外側に、給水入口内管を内管とし給水出口管を外管とする２重管部をもうけ、前記給水入口管は、前記の２重管の横からつらぬいたのち、タンク中央部を他方の鏡板（１２）に向かって伸びる前記給水入口内管に接続されており、前記給水入口内管は一方の鏡板（１３）の方に向けて広がるように配置したラッパ状の板の中心部をつらぬいており、他方の鏡板（１２）の手前で、前記給水入口内管の端を流入口とし、タンク内に給水を流入させ、その流れを他方の鏡板（１２）や胴板（１）に当てたのち、反転させて前記一方の鏡板（１３）の方に向かわせ、一方の鏡板（１３）の前記ラッパ状の板のヘリを通して流出させ、その後円筒状の穴開きプレートを通って前記２重管の内管と外管との間を通ってから前記給水出口管から排出することを特徴とした貯水タンク。
【請求項２】
前記給水入口内管の端の流入口を略球形とし、前記略球形の表面に多数の穴を開けた事を特徴とする第１項記載の貯水タンク。
【請求項３】
前記給水入口内管の端の流入口を、流れ方向にラッパ状に広げた後、略半球形状とし、前記略半球形の表面に多数の穴を開けた事を特徴とする第１項記載の貯水タンク。
【請求項４】
前記略球形及び略半球形状の表面の穴は給水入口内管の流れ方向、流れと直角方向、流れと逆方向の範囲ごとに穴の大きさや形や数を変化させることを特徴とする第２又、３いずれかの項記載の貯水タンク。
【請求項５】
前記給水入口内管を中心とした放射状に、前記給水入口内管にそって仕切り板（３０）を数枚入れて、タンク内部の流れを分割し、それぞれの流れが混合しないようにした、第１〜４いずれかの項記載の貯水タンク。
【請求項６】
前記給水入口内管外面に一定の間隔でバッフル板を、流れ方向と直角の方向に取付け、前記バッフル板に多数の穴を開けた事を特徴とする第１〜５いずれかの項記載の貯水タンク。
【請求項７】
前記給入口内管の端の少し上流側に前記端から流出することによって生じる、その周囲の循環流を遮断するプレートを、流れ方向と直角の方向に取付けたことを特徴とする第１〜６いずれかの項記載の貯水タンク。
【請求項８】
両端を鏡板で開止した円筒型の貯水タンクにおいて、一方の鏡板（１３）の中心の外側に、給水入口内管を内管とし給水出口管を外管とする２重管部をもうけ、前記給水入口管は、前記の２重管の横からつらぬいたのち、タンク中央部を他方の鏡板（１２）に向かって伸びる前記給水入口内管に接続されており、前記給水入口内管は一方の鏡板（１３）の方に向けて広がり、さらにヘリを折返して、逆方向を向いた複合ラッパ状の板の中心部をつらぬいており、他方の鏡板（１２）の手前で、前記給水入口内管の端を流入口とし、タンク内に給水を流入させ、その流れを他方の鏡板（１２）や胴板（１）に当てたのち、反転させて前記一方の鏡板（１３）の方に向かわせ、一方の鏡板（１３）の前記複合ラッパ状の板の折返し部の所に、中心方向に向け、一定間隔で穴を開け、前記穴間に前記ラッパ状の板とタンクとの間に仕切り板（２８）を、流れの方向に沿って立て、前記仕切板は折返し周辺に放射状にもうけ、前記穴と、仕切り板とラッパ状の板の間から流出させ、その後円筒状の穴開きプレートを通って前期２重管の内管と外管との間を通ってから、前記給水出口管（５）から排出する事を特徴とする貯水タンク。
【請求項９】
前記給水入口内管の端の流入口を略球形とし、前記略球形の表面に多数の穴を開けた事を特徴とする第８項記載の貯水タンク。
【請求項１０】
前記給水入口内管の端の流入口を、流れ方向にラッパ状に広げた後、略半球形状とし、前記略半球形の表面に多数の穴を開けた事を特徴とする第８項記載の貯水タンク。
【請求項１１】
前記略球形及び略半球形状の表面の穴は給水入口内管の流れ方向、流れと直角方向、流れと逆方向の範囲ごとに穴の大きさや形や数を変化させることを特徴とする第９又、１０いずれかの項記載の貯水タンク。
【請求項１２】
前記給水入口内管を中心とした放射状に、前記給水入口内管にそって仕切り板（３０）を数枚入れて、タンク内部の流れを分割し、それぞれの流れが混合しないようにした、第８〜１１いずれかの項記載の貯水タンク。
【請求項１３】
前記給水入口内管外面に一定の間隔でバッフル板を、流れ方向と直角の方向に取付け、前記バッフル板に多数の穴を開けた事を特徴とする第８〜１２いずれかの項記載の貯水タンク。
【請求項１４】
前記給入口内管の端の少し上流側に前記端から流出することによって生じる、その周囲の循環流を遮断するプレートを、流れ方向と直角の方向に取付けたことを特徴とする第８〜１３いずれかの項記載の貯水タンク。
【発明の詳細な説明】
【技術分野】
【０００１】  本発明は災害時に飲料水を確保するため、水道管の途中に設置する飲料水用の貯水槽に関するものである。
【背景技術】
【０００２】  従来の災害時水道用貯水槽は横型で細長い形状で、入口管と出口管を両側にもうけ、穴開き管を配位置したりタンクの途中に仕切り板を多数枚取付けたり、水の流れを仕切り板で仕切り、多段パスで通したりして、水の入れ替わりを促進する方法が提案されている。
【先行技術文献】
【特許文献】
【０００３】
【特許文献１】  特開２００９−２６４０９８号公報
【特許文献２】  特開昭５７−１３３８８１号公報
【特許文献３】  特開２０００−６４３７０号公報
【特許文献４】  実公昭６０−２０６８７号公報
【特許文献５】  実公平３−２９４２１号公報
【特許文献６】  特許第３０５９９７８号公報
【特許文献７】  特許第３１９０８２３号公報
【特許文献８】  特開平１１−３５０５４４号公報
【特許文献９】  実公昭６３−６４６９３号公報
【特許文献１０】  特許第３５３２３２６号公報
【特許文献１１】  特許第５４２７１４６号公報
【発明の概要】
【発明が解決しようとする課題】
【０００４】  従来の発明の貯水槽は横長であるため、内部の混合が少なく、入れ替わりに対しては有利に働く形状であったが、本発明の貯水槽は地上式の立型であり、安定を保つためにタンクを長くすることができず、胴を太く長さを短くした形状とせねばならない。そのため、内部で速い中央部分と遅い内壁部分で流れの分離が起こり従来の方法では満足できる水の入れ替わりを達成することができない。又、地下式の貯水槽では地震時に給水を遮断する弁を取付けて、タンクと接続する外部配管が損傷した時に内部の水が流出するための防止対策を講じねばならなかった。このため導入コストが高くなり、メンテナンスも必要であった。【０００５】  本発明は、大径短胴のタンクでも短時間で水の入れ替わりを達成することを目的とするものである。
【課題を解決するための手段】
【０００６】  本発明は上記目的を達成するため、両端を鏡板で閉止した円筒立型の貯水槽において、給水の入口と出口を、鏡板の中央部に、かつ一箇所にまとめるため２重管とし、その内管を給水入口内管とし、外管と内管のすきまを流出管とする。給水入口内管は２重管部のある一方の鏡板から他方の鏡板方向に伸して他方の鏡板の手前で略球形の多数の穴開き流出口とする事により、流入部を除いた全方向に同時に噴出させるようにしてある。【０００７】  この穴から噴出させる事により全方向で同時に減速させ、さらに鏡板や胴板に当てて減速することによりタンク内部の流れを早く層流として流体間の混合を防止するようになっている。【０００８】  しかし、タンク内部の流れが層流となると、タンク中心部で流れが早く、タンクの胴板内壁付近では遅くなり、古い水を新しい水で均等に水平に押し出すことができなくなるので中心に通る給水入口内管に円形状のバッフル板を一定間隔で取付けて、中心部の流れにブレーキをかけて、均等な速さの流れになるよう修正するようになっている。【０００９】  給水出口管は出口管を接続した鏡板の方向に向けたラッパ状の板の内部より流出させる。ラッパ状の板のヘリと鏡板との間の流路は締って流速を上げて流出させる。又、特に小流量しか流れない場合は、ラッパ状の板のヘリを折り返して逆のラッパ状として流出の流路形状をベンチュリ状として、その折返し部に等間隔の穴を中心の方向に向けてもうけて、穴間はプレートで仕切る。これは、タンク周壁部で遅くなった流れを速くしようと、逆ラッパ状の板の径を大きくして周壁に近づけると、中央部の流れが悪くなり、又、径を小さくすると中央部の流れが速くなり、又、流量によっても変化してしまう。この時の流れのバランスを取るため、ラッパ状と逆方向のラッパ状の板の谷部に流れを集め、そこに穴をもうけて流し、コントロールする。この時、ベンチュリ効果により流速が早い方の流れは遅い方の流れを吸引し、バランスを取ってくれる。
【発明の効果】
【００１０】  給水を減速させる方法としてラッパ管を鏡板内面の方向に向けて鏡板にぶつける方法や両端を閉止した円筒状の穴開きプレートを通して鏡板と平行に噴出させて行う方法等が提案されているが、本発明では鏡と同じような曲率の球状の給水入口口から全方向同時に噴出させるが、当然流れ方向の噴出量が多くなり、流れ方向と逆の方向の噴出量が少なくなる。【００１１】  流れ方向に噴出した流れは、鏡板に同時に当たりさらに減速させかつ反転させる。流れ方向と逆の方向の噴出による流れは、流れ方向の噴出によって、その周囲に生ずる循環流を防止する作用があり、内部混合を阻止する作用がある、又噴出球の背後にバッフルプレートを追加することにより循環流を遮断し、混合を防止する効果を高めることもできる。これらの作用により入口管より噴出した乱流の流れは、すばやく層流の流れに変更され、内部で混合や分離することなく、出口の方へ流すことができる。又、前記流れ方向と逆方向の噴出量の違いを穴径や数を流入方向と流入と直角方向と、流入と逆方向で変更して噴出量を変えることにより流れを最適化することができる。【００１２】  一方出口の形状は、この層流の流れを乱すことなく、かつできるだけ均等に流出させる方法が必要である。その方法として鏡板の方向に向けたラッパ状の板を流出管口の直前にもうけ、そのラッパ状の板の内部の流出口の周囲に円筒状の穴開き板をもうける。流出管の手前まで来た水はラッパ状の板のヘリと鏡板のすきまより流出させることにより流速を上げ、その後穴開き板を通すことにより、２重管の外管と内管の間の流れの不均等を修正し、ラッパ状のヘリの流れを均一に近づける効果がある。【００１３】  又、特に小流量の場合は、ラッパ状の板のヘリを折り返して逆のラッパ状として流路形状をベンチュリ状となるようにして、その折返し部の谷部分に等間隔の穴を開け、かつ、穴間に仕切りを入れることにより、逆のラッパ板の大小による流れの不均等や流量の大小による流れの不均等を自動的に修正する効果がある。これは流路形状がベンチュリ状となっているためで穴からの噴流側とラッパ板の流路側のうち、速い方の流れが、遅い方の流れを吸引することによる。以上のように、入口側の形状と出口側の形状の組合せにより水の入れ換わりを促進する。又この発明は横形のものや、自由水面を持ったタンクにも応用することができる。【００１４】  外部配管の取り回しに対しても、本タンクでは出入口管がタンク頂部の一箇所に集中しているため配位置しやすく、また、本タンクと接続される外部配管が地震で損傷した場合でも出入口配管はタンク頂部にあり、空気弁を取付ける事により自動的にタンク内部の水は確保され、従来のタンクで下部に接続された配管では必要となる遮断弁は不要であり、導入コストとメンテナンス費を低減することができる。【００１５】  先行技術文献で問題となっているようにタンク内水の温度と、給水の温度の差が、内部の流れを分離するように働くが、タンクを立型としてやれば各温度の層は流れ方向に対し直角方向となり、温度による比重差の影響を受けない。地上式のタンクでは太陽で加熱されるためタンク内の温度の方が給水温度より、必ず高くなっており、温度差が激しい。本タンクでは立型であり、しかも、温度が低く比重の重たい給水を底から入れていくため、比重差を有効に利用して、タンク内の水の入れ換わりを促進できる構造でもある。
【図面の簡単な説明】
【００１６】
【図１】  本発明の実施形態を示す貯水槽の断面図（入口球形タイプ）
【図２】  本発明の実施形態を示す貯水槽の断面図（入口半球形タイプ）
【図３】  給水入口内管端部の球形部の拡大図
【図４】  流入、流出２重管とラッパ板と穴開きプレートの拡大図
【図５】  板のへりに逆向きのラッパ状の板を付けたラッパ状の板の拡大図
【図６】  自由水面を持ったタンクへの応用例
【発明を実施するための形態】
【００１７】  図１において円筒立型のタンク１の上部の２重管６の内管である給水入口内管１４に給水入口管２が接続されておりタンクの中心を上から下に向かって入口内管１４は伸びており、その端にはほぼ球形の噴出球３が取付けられており、その球状の表面には多数の穴４が開けられている。この穴は大きさや数を変えて噴出量を方向によって変化させることもできる。
【００１８】  流出管５もタンク１の上部にもうけられており、給水入口内管１４と流出２重管の外管６は同じ位置にあり流入と流出が行われる。流出管５は２重管の外管６の上側に接続されておりこの２重管外管６の内周のタンク内側にはラッパ状の流出板７と円筒状の穴開き板８が配位置されており、ラッパ状の流出板７の端はタンクの上部鏡板１３に近づけており、一度せまく、しぼって流出口９を開口している。内部の流れがより小流量となる場合は図５に示すようにこのラッパ状の流出板７のへりを折返し、逆方向を向いたラッパ状の板を取り付けたラッパ状の板２６とし、その折返し部に、一定間隔で穴２７を開けて、その穴間に仕切り板を入れる。これにより、流出路をベンチュリに近い形状としている。
【００１９】  図３に噴出球３の拡大図、図４に流入、流出管とラッパ板と穴開きプレートの拡大図を示す。図２においては図１の流入管の端部の噴出球を、半球１０とラッパ管１１にわけた形状にしており、この事により製作が簡単となりコストダウンを企ることができる。又、噴出球の製作に当っては穴開き板を展開切断して曲げ加工した数分割したものを地球儀のように組立てたものを使用しても何ら問題ないとはならないし、コストダウンにもつながる。
【００２０】  又さらなる内部混合を防止するための方法として流れ方向にタンク中心の給水入口内管から放射状に仕切り板３０を入れて流れ方向と直角方向の混合を防止する。他の形状は図１と同様である。
【００２１】  図６には自由水面を持ったタンクへの応用例を示す。このタンクでは、給水出入口の２重管はタンクの底板に取付け、給水入口内管は水面に向かって走らせ、水面の手前で略球形の出口としており、水面に向かって噴出させ、水面の重力により反転させる。流出口、流出管の形状は前記と同様である。
【符号の説明】
【００２２】１    タンク
２    給水入口管
３    噴出球
４    噴出球の穴
５    流出管
６    ２重管の外管
７    ラッパ状の板
８    給水出口前の穴開き円筒板
９    流出口
１０  噴出半球
１１  噴出部ラッパ管
１２  上部鏡板
１３  下部鏡板
１４  給水入口内管
１５  循環防止板
１６  基礎
１７  空気弁
１８  減速部
１９  層流の流れ部
２０  回収出口部
２１  ラッパ状の板のヘリ
２２  水面
２３  底板
２４  側板
２５  天板
２６  板のへりに逆向きのラッパ状の板を付けたラッパ状の板
２７  ２６の板に開けた等間隔の穴
２８  ２６の板に開けた等間隔の穴間の仕切板
２９  給水入口内管外面のブレーキ用バッフル板
３０  放射状の胴体分割の仕切り板
【図１】
2016223275.tif 000003
【図２】
2016223275.tif 000004
【図３】
2016223275.tif 000005
【図４】
2016223275.tif 000006
【図５】
2016223275.tif 000007
【図６】
2016223275.tif 000008